(57)【要約】【課題】第二版以降の増版が予定されている場合に、それら増版数に応じて、原価を留保しておき、増版時の製作原価に算入して原価管理を行うことができる版下原価管理装置、版下原価管理方法、および、版下原価管理プログラムを提供することを課題とする。【解決手段】商品の初版数量、および、製作前商品の増版数量を取得し、増版数量を在庫予定数量として登録し、商品の版下費用額、ならびに、初版数量および増版数量に基づいて、商品の版下原価単価を取得し、商品が製作された場合、当該商品の製作数量および製作費用額を取得し、製作数量、製作費用額、版下原価単価、および／または、記憶された在庫管理データに基づいて、製作原価単価を取得し、商品の製作原価単価および製作数量に基づいて、記憶された在庫管理データ、および、記憶された版下管理データを更新する。【選択図】図２
2020027396.tif 000002
【特許請求の範囲】
【請求項１】
記憶部と制御部とを備えた版下原価管理装置であって、
前記記憶部は、
商品の在庫原価単価および在庫数量を含む在庫管理データを記憶する在庫管理記憶手段と、
前記商品の初版製作時に増版が予定され、且つ、版下原価を原価に含む製作前商品の在庫予定数量を含む版下管理データを記憶する版下管理記憶手段と、
を備え、
前記制御部は、
前記商品の初版数量、および、前記製作前商品の増版数量を取得し、前記増版数量を前記在庫予定数量として前記版下管理記憶手段に登録する数量取得手段と、
前記商品の版下費用額、ならびに、前記初版数量および前記増版数量に基づいて、前記商品の版下原価単価を取得する版下原価取得手段と、
前記商品が製作された場合、当該商品の製作数量および製作費用額を取得し、前記製作数量、前記製作費用額、前記版下原価単価、および／または、前記在庫管理記憶手段に記憶された前記在庫管理データに基づいて、製作原価単価を取得する製作原価取得手段と、
前記商品の前記製作原価単価および前記製作数量に基づいて、前記在庫管理記憶手段に記憶された前記在庫管理データ、および、前記版下管理記憶手段に記憶された前記版下管理データを更新する在庫更新手段と、
を備えたことを特徴とする版下原価管理装置。
【請求項２】
前記制御部は、
初版の前記商品が製作された場合、前記版下原価単価、ならびに、前記初版の商品の前記製作原価単価および前記製作数量に基づいて、前記初版の商品の在庫投入に係る在庫投入仕訳データを作成する在庫投入仕訳手段と、
前記初版の商品が製作された場合、前記版下原価単価、および、前記製作前商品の前記在庫予定数量に基づいて、前記製作前商品への版下原価設定に係る仕掛仕訳データを作成する仕掛仕訳手段と、
を更に備えたことを特徴とする請求項１に記載の版下原価管理装置。
【請求項３】
前記制御部は、
増版の前記商品が製作された場合、前記版下原価単価、ならびに、前記増版の商品の前記製作原価単価および前記製作数量に基づいて、前記増版の商品の在庫投入に係る在庫投入仕訳データを作成する在庫投入仕訳手段、
を更に備えたことを特徴とする請求項１に記載の版下原価管理装置。
【請求項４】
前記制御部は、
前記商品の売上が計上された場合、当該商品の売上原価に係る売上仕訳データを作成する売上仕訳手段、
を更に備えたことを特徴とする請求項１から３のいずれか一つに記載の版下原価管理装置。
【請求項５】
前記製作原価取得手段は、
前記商品が製作された場合、当該商品の前記製作数量および前記製作費用額を取得し、前記製作数量、前記製作費用額、前記版下原価単価、および／または、前記在庫管理記憶手段に記憶された前記在庫管理データに基づいて、月次総平均、最終仕入単価または標準原価単価である前記製作原価単価を取得することを特徴とする請求項１から４のいずれか一つに記載の版下原価管理装置。
【請求項６】
前記製作原価取得手段は、
前記商品が製作された場合、当該商品の前記製作数量および前記製作費用額を取得し、前記在庫管理記憶手段に記憶された前記在庫原価単価と前記在庫管理記憶手段に記憶された前記在庫数量との積に、前記製作数量と前記版下原価単価との積および前記製作費用額の和を加えた値を被除数として、前記在庫管理記憶手段に記憶された前記在庫数量と前記製作数量との和を除数とする場合の商を前記月次総平均である前記製作原価単価として取得することを特徴とする請求項５に記載の版下原価管理装置。
【請求項７】
前記製作原価取得手段は、
前記商品が製作され、且つ、前記在庫予定数量が０の場合、当該商品の前記製作数量および前記製作費用額を取得し、前記在庫管理記憶手段に記憶された前記在庫原価単価と前記在庫管理記憶手段に記憶された前記在庫数量との積に、前記製作費用額を加えた値を被除数として、前記在庫管理記憶手段に記憶された前記在庫数量と前記製作数量との和を除数とする場合の商を前記月次総平均である前記製作原価単価として取得することを特徴とする請求項５に記載の版下原価管理装置。
【請求項８】
前記在庫更新手段は、
前記商品の前記製作原価単価を更新後の在庫原価単価として、且つ、前記製作数量と前記在庫管理記憶手段に記憶された前記在庫数量との和を更新後の在庫数量として、前記在庫管理記憶手段に記憶された前記在庫管理データを更新し、前記版下管理記憶手段に記憶された前記在庫予定数量から前記製作数量を差し引いた値を更新後の在庫予定数量として、前記版下管理記憶手段に記憶された前記版下管理データを更新することを特徴とする請求項１から７のいずれか一つに記載の版下原価管理装置。
【請求項９】
前記在庫管理データは、
前記商品の商品コードを含み、
前記版下管理データは、
前記製作前商品の識別子として前記商品コードを含むことを特徴とする請求項１から８のいずれか一つに記載の版下原価管理装置。
【請求項１０】
前記商品は、
音楽、映像もしくはソフトウェアの記録媒体、レコード、キャラクタグッズ、写真、または、チケットであることを特徴とする請求項１から９のいずれか一つに記載の版下原価管理装置。
【請求項１１】
記憶部と制御部とを備えた版下原価管理装置に実行させるための版下原価管理方法であって、
前記記憶部は、
商品の在庫原価単価および在庫数量を含む在庫管理データを記憶する在庫管理記憶手段と、
前記商品の初版製作時に増版が予定され、且つ、版下原価を原価に含む製作前商品の在庫予定数量を含む版下管理データを記憶する版下管理記憶手段と、
を備え、
前記制御部で実行させる、
前記商品の初版数量、および、前記製作前商品の増版数量を取得し、前記増版数量を前記在庫予定数量として前記版下管理記憶手段に登録する数量取得ステップと、
前記商品の版下費用額、ならびに、前記初版数量および前記増版数量に基づいて、前記商品の版下原価単価を取得する版下原価取得ステップと、
前記商品が製作された場合、当該商品の製作数量および製作費用額を取得し、前記製作数量、前記製作費用額、前記版下原価単価、および／または、前記在庫管理記憶手段に記憶された前記在庫管理データに基づいて、製作原価単価を取得する製作原価取得ステップと、
前記商品の前記製作原価単価および前記製作数量に基づいて、前記在庫管理記憶手段に記憶された前記在庫管理データ、および、前記版下管理記憶手段に記憶された前記版下管理データを更新する在庫更新ステップと、
を含むことを特徴とする版下原価管理方法。
【請求項１２】
記憶部と制御部とを備えた版下原価管理装置に実行させるための版下原価管理プログラムであって、
前記記憶部は、
商品の在庫原価単価および在庫数量を含む在庫管理データを記憶する在庫管理記憶手段と、
前記商品の初版製作時に増版が予定され、且つ、版下原価を原価に含む製作前商品の在庫予定数量を含む版下管理データを記憶する版下管理記憶手段と、
を備え、
前記制御部において、
前記商品の初版数量、および、前記製作前商品の増版数量を取得し、前記増版数量を前記在庫予定数量として前記版下管理記憶手段に登録する数量取得ステップと、
前記商品の版下費用額、ならびに、前記初版数量および前記増版数量に基づいて、前記商品の版下原価単価を取得する版下原価取得ステップと、
前記商品が製作された場合、当該商品の製作数量および製作費用額を取得し、前記製作数量、前記製作費用額、前記版下原価単価、および／または、前記在庫管理記憶手段に記憶された前記在庫管理データに基づいて、製作原価単価を取得する製作原価取得ステップと、
前記商品の前記製作原価単価および前記製作数量に基づいて、前記在庫管理記憶手段に記憶された前記在庫管理データ、および、前記版下管理記憶手段に記憶された前記版下管理データを更新する在庫更新ステップと、
を実行させるための版下原価管理プログラム。
【発明の詳細な説明】
【技術分野】
【０００１】
本発明は、版下原価管理装置、版下原価管理方法、および、版下原価管理プログラムに関する。
【背景技術】
【０００２】
特許文献１には、一回の販売分に対して、仕入原価に応じてトータルで原価割れを起こさないような価格設定をする構成が開示されている。
【先行技術文献】
【特許文献】
【０００３】
【特許文献１】特許第３７４６７８４号公報
【発明の概要】
【発明が解決しようとする課題】
【０００４】
しかしながら、上記特許文献１記載の発明においては、予め増版して販売することが予定されている商品に対して、第二版以降の商品に対して最初から版下原価を計上することを想定した価格設定ができなかったという課題があった。
【０００５】
本発明は、上記問題点に鑑みてなされたものであって、第二版以降の増版が予定されている場合に、それら増版数に応じて、原価を留保しておき、増版時の製作原価に算入して原価管理を行うことができる版下原価管理装置、版下原価管理方法、および、版下原価管理プログラムを提供することを目的とする。
【課題を解決するための手段】
【０００６】
上述した課題を解決し、目的を達成するために、本発明に係る版下原価管理装置は、記憶部と制御部とを備えた版下原価管理装置であって、前記記憶部は、商品の在庫原価単価および在庫数量を含む在庫管理データを記憶する在庫管理記憶手段と、前記商品の初版製作時に増版が予定され、且つ、版下原価を原価に含む製作前商品の在庫予定数量を含む版下管理データを記憶する版下管理記憶手段と、を備え、前記制御部は、前記商品の初版数量、および、前記製作前商品の増版数量を取得し、前記増版数量を前記在庫予定数量として前記版下管理記憶手段に登録する数量取得手段と、前記商品の版下費用額、ならびに、前記初版数量および前記増版数量に基づいて、前記商品の版下原価単価を取得する版下原価取得手段と、前記商品が製作された場合、当該商品の製作数量および製作費用額を取得し、前記製作数量、前記製作費用額、前記版下原価単価、および／または、前記在庫管理記憶手段に記憶された前記在庫管理データに基づいて、製作原価単価を取得する製作原価取得手段と、前記商品の前記製作原価単価および前記製作数量に基づいて、前記在庫管理記憶手段に記憶された前記在庫管理データ、および、前記版下管理記憶手段に記憶された前記版下管理データを更新する在庫更新手段と、を備えたことを特徴とする。
【０００７】
また、本発明に係る版下原価管理装置において、前記制御部は、初版の前記商品が製作された場合、前記版下原価単価、ならびに、前記初版の商品の前記製作原価単価および前記製作数量に基づいて、前記初版の商品の在庫投入に係る在庫投入仕訳データを作成する在庫投入仕訳手段と、前記初版の商品が製作された場合、前記版下原価単価、および、前記製作前商品の前記在庫予定数量に基づいて、前記製作前商品への版下原価設定に係る仕掛仕訳データを作成する仕掛仕訳手段と、を更に備えたことを特徴とする。
【０００８】
また、本発明に係る版下原価管理装置において、前記制御部は、増版の前記商品が製作された場合、前記版下原価単価、ならびに、前記増版の商品の前記製作原価単価および前記製作数量に基づいて、前記増版の商品の在庫投入に係る在庫投入仕訳データを作成する在庫投入仕訳手段、を更に備えたことを特徴とする。
【０００９】
また、本発明に係る版下原価管理装置において、前記制御部は、前記商品の売上が計上された場合、当該商品の売上原価に係る売上仕訳データを作成する売上仕訳手段、を更に備えたことを特徴とする。
【００１０】
また、本発明に係る版下原価管理装置において、前記製作原価取得手段は、前記商品が製作された場合、当該商品の前記製作数量および前記製作費用額を取得し、前記製作数量、前記製作費用額、前記版下原価単価、および／または、前記在庫管理記憶手段に記憶された前記在庫管理データに基づいて、月次総平均、最終仕入単価または標準原価単価である前記製作原価単価を取得することを特徴とする。
【００１１】
また、本発明に係る版下原価管理装置において、前記製作原価取得手段は、前記商品が製作された場合、当該商品の前記製作数量および前記製作費用額を取得し、前記在庫管理記憶手段に記憶された前記在庫原価単価と前記在庫管理記憶手段に記憶された前記在庫数量との積に、前記製作数量と前記版下原価単価との積および前記製作費用額の和を加えた値を被除数として、前記在庫管理記憶手段に記憶された前記在庫数量と前記製作数量との和を除数とする場合の商を前記月次総平均である前記製作原価単価として取得することを特徴とする。
【００１２】
また、本発明に係る版下原価管理装置において、前記製作原価取得手段は、前記商品が製作され、且つ、前記在庫予定数量が０の場合、当該商品の前記製作数量および前記製作費用額を取得し、前記在庫管理記憶手段に記憶された前記在庫原価単価と前記在庫管理記憶手段に記憶された前記在庫数量との積に、前記製作費用額を加えた値を被除数として、前記在庫管理記憶手段に記憶された前記在庫数量と前記製作数量との和を除数とする場合の商を前記月次総平均である前記製作原価単価として取得することを特徴とする。
【００１３】
また、本発明に係る版下原価管理装置において、前記在庫更新手段は、前記商品の前記製作原価単価を更新後の在庫原価単価として、且つ、前記製作数量と前記在庫管理記憶手段に記憶された前記在庫数量との和を更新後の在庫数量として、前記在庫管理記憶手段に記憶された前記在庫管理データを更新し、前記版下管理記憶手段に記憶された前記在庫予定数量から前記製作数量を差し引いた値を更新後の在庫予定数量として、前記版下管理記憶手段に記憶された前記版下管理データを更新することを特徴とする。
【００１４】
また、本発明に係る版下原価管理装置において、前記在庫管理データは、前記商品の商品コードを含み、前記版下管理データは、前記製作前商品の識別子として前記商品コードを含むことを特徴とする。
【００１５】
また、本発明に係る版下原価管理装置において、前記商品は、音楽、映像もしくはソフトウェアの記録媒体、レコード、キャラクタグッズ、写真、または、チケットであることを特徴とする。
【００１６】
また、本発明に係る版下原価管理方法は、記憶部と制御部とを備えた版下原価管理装置に実行させるための版下原価管理方法であって、前記記憶部は、商品の在庫原価単価および在庫数量を含む在庫管理データを記憶する在庫管理記憶手段と、前記商品の初版製作時に増版が予定され、且つ、版下原価を原価に含む製作前商品の在庫予定数量を含む版下管理データを記憶する版下管理記憶手段と、を備え、前記制御部で実行させる、前記商品の初版数量、および、前記製作前商品の増版数量を取得し、前記増版数量を前記在庫予定数量として前記版下管理記憶手段に登録する数量取得ステップと、前記商品の版下費用額、ならびに、前記初版数量および前記増版数量に基づいて、前記商品の版下原価単価を取得する版下原価取得ステップと、前記商品が製作された場合、当該商品の製作数量および製作費用額を取得し、前記製作数量、前記製作費用額、前記版下原価単価、および／または、前記在庫管理記憶手段に記憶された前記在庫管理データに基づいて、製作原価単価を取得する製作原価取得ステップと、前記商品の前記製作原価単価および前記製作数量に基づいて、前記在庫管理記憶手段に記憶された前記在庫管理データ、および、前記版下管理記憶手段に記憶された前記版下管理データを更新する在庫更新ステップと、を含むことを特徴とする。
【００１７】
また、本発明に係る版下原価管理プログラムは、記憶部と制御部とを備えた版下原価管理装置に実行させるための版下原価管理プログラムであって、前記記憶部は、商品の在庫原価単価および在庫数量を含む在庫管理データを記憶する在庫管理記憶手段と、前記商品の初版製作時に増版が予定され、且つ、版下原価を原価に含む製作前商品の在庫予定数量を含む版下管理データを記憶する版下管理記憶手段と、を備え、前記制御部において、前記商品の初版数量、および、前記製作前商品の増版数量を取得し、前記増版数量を前記在庫予定数量として前記版下管理記憶手段に登録する数量取得ステップと、前記商品の版下費用額、ならびに、前記初版数量および前記増版数量に基づいて、前記商品の版下原価単価を取得する版下原価取得ステップと、前記商品が製作された場合、当該商品の製作数量および製作費用額を取得し、前記製作数量、前記製作費用額、前記版下原価単価、および／または、前記在庫管理記憶手段に記憶された前記在庫管理データに基づいて、製作原価単価を取得する製作原価取得ステップと、前記商品の前記製作原価単価および前記製作数量に基づいて、前記在庫管理記憶手段に記憶された前記在庫管理データ、および、前記版下管理記憶手段に記憶された前記版下管理データを更新する在庫更新ステップと、を実行させることを特徴とする。
【発明の効果】
【００１８】
本発明によれば、書籍等の実在庫数と版下想定冊数とをシステム管理できるという効果を奏する。また、本発明によれば、実物を管理する倉庫で実在庫原価単価を管理・算出し、版下原価管理用の倉庫で版下原価単価を管理・算出できるという効果を奏する。また、本発明によれば、書籍等の版下想定冊数が変更になった場合、または、印刷版毎の冊数が変更された場合、投入原価または売価を可変に調整できるという効果を奏する。また、本発明によれば、書籍等の初版と増刷との版下原価を加味した単価計算を、標準的な在庫管理の仕組みの中ですることができるという効果を奏する。
【図面の簡単な説明】
【００１９】
【図１】図１は、本実施形態における原価設定の一例を示す図である。
【図２】図２は、本実施形態における版下原価管理装置の構成の一例を示すブロック図である。
【図３】図３は、本実施形態における版下原価管理装置の処理の一例を示すフローチャートである。
【図４】図４は、本実施形態における版下原価管理の一例を示すモデル図である。
【図５】図５は、本実施形態における版下原価管理処理の一例を示すフロー図である。
【図６】図６は、本実施形態における版下原価管理処理の一例を示すフロー図である。
【図７】図７は、本実施形態における版下原価管理処理の一例を示すフロー図である。
【図８】図８は、本実施形態における版下原価管理処理の一例を示すフロー図である。
【図９】図９は、本実施形態における版下原価管理処理の一例を示すフロー図である。
【図１０】図１０は、本実施形態における版下原価管理処理の一例を示すフロー図である。
【図１１】図１１は、本実施形態における版下原価管理処理の一例を示すフロー図である。
【発明を実施するための形態】
【００２０】
本発明の実施形態を図面に基づいて詳細に説明する。なお、本発明は本実施形態により限定されるものではない。
【００２１】
［１．概要］
まず、図１を参照して、本発明の概要を説明する。図１は、本実施形態における原価設定の一例を示す図である。
【００２２】
図１に示すように、従来は、書籍、音楽レコード、ＣＤ、ＤＶＤ、キャラクタの商品グッズ、販売用ソフトウェア、写真や映像の販売、または、球場などの年間予約席等の製作時に発生する執筆料および原稿料等の費用全てを、初版分のみに原価として投入していた。このように、従来は、初版に全ての原価を乗せてしまうことで、売価が上がってしまうため、初版の売上冊数の減少につながり、増刷も難しくなっていた。また、従来は、初版と増版との原価差が大きくなるため、初版と増版との価格差が開いてしまい、柔軟な価格設定が難しくなっていた。
【００２３】
そこで、図１に示すように、本実施形態においては、第２版以降の増版が予定されている場合、それら増版数に応じて、版下原価を留保しておき、増版時の製作原価に算入して、以降の販売時の売上原価として計上している。また、本実施形態においては、一般的な商品、倉庫、および、原価管理機能の中で、版下原価をシステム管理しつつ、仕訳連携し財務諸表上にも反映させている。なお、本実施形態においては、初版と増版との原価差が小さくなるため、増版毎の柔軟な価格設定に繋げることも可能としている。
【００２４】
また、従来、書籍等の増版ごとに商品コードを分けると、一つのタイトルでの売上分析等の集計、および、実際の書籍等の出荷作業等が煩雑になるデメリットがあったため、本実施形態においては、一つのタイトルにおいて、増版ごとに商品コードを分けるのではなく、同一商品コードとして管理することで、特別なシステム要件を必要とせずに、同一商品であり、且つ、版が異なる商品であっても、版下管理での製品原価計算が可能となり、商品管理や売上分析等の業務を行いやすくしている。
【００２５】
また、従来、初版製作時に版下原価が費用として発生しているため、それらを仕訳計上しつつ財務諸表上に反映する必要があるが、一方で、版下として予定されている増版分は、実際には現物がなく、実際の在庫原価とは分けて管理する必要があったため、本実施形態においては、実際の在庫管理倉庫とは別に、版下管理用の仮想倉庫を設定することで、製作済みの商品原価と版下原価とを明確に区別することで、増版数の変更および増版時の発生費用を、製作済みの商品原価と分けてリアルタイムに把握しやすくしている。
【００２６】
また、従来、初版製作時には、第２版を１００冊と見込んでいたが、実際には第２版を７０冊および第３版を３０冊として、第２版だけ製作が行われるケースがあったため、本実施形態においては、版下管理用倉庫から在庫管理倉庫への移動登録によって増版管理を行うことで、書籍等の売上原価を月次総平均等により算出している場合、在庫として残っている初版の製作原価と、第２版で増刷された７０冊の製作原価との両方を加味し、１冊あたりの売上原価を算出して、当月の書籍売上数に応じた売上原価を計上するようにしている。
【００２７】
［２．構成］
本実施形態に係る版下原価管理装置１００の構成の一例について、図２を参照して説明する。図２は、本実施形態における版下原価管理装置１００の構成の一例を示すブロック図である。
【００２８】
版下原価管理装置１００は、市販のデスクトップ型パーソナルコンピュータである。なお、版下原価管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２９】
版下原価管理装置１００は、制御部１０２と通信インターフェース部１０４と記憶部１０６と入出力インターフェース部１０８と、を備えている。版下原価管理装置１００が備えている各部は、任意の通信路を介して通信可能に接続されている。
【００３０】
通信インターフェース部１０４は、ルータ等の通信装置および専用線等の有線または無線の通信回線を介して、版下原価管理装置１００をネットワーク３００に通信可能に接続する。通信インターフェース部１０４は、他の装置と通信回線を介してデータを通信する機能を有する。ここで、ネットワーク３００は、版下原価管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００３１】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。記憶部１０６は、商品マスタ１０６ａと、倉庫マスタ１０６ｂと、在庫管理ファイル１０６ｃと、版下管理ファイル１０６ｄとを備えている。
【００３２】
商品マスタ１０６ａは、商品を設定したマスタである。ここで、商品マスタ１０６ａは、商品コード、および／または、商品名等を設定してもよい。また、商品は、音楽、映像もしくはソフトウェアの記録媒体、レコード、キャラクタグッズ、写真、または、チケット等であってもよい。
【００３３】
倉庫マスタ１０６ｂは、商品の保管先である在庫保管倉庫、および／または、製作前商品の仮想の保管先である、版下原価用の版下管理倉庫を設定したマスタである。ここで、倉庫マスタ１０６ｂは、倉庫コード、倉庫名、および／または、保管された商品の単価算出区分等を設定してもよい。ここで、単価算出区分は、月次総平均、最終仕入単価、または、標準原価単価等であってもよい。
【００３４】
在庫管理ファイル１０６ｃは、商品の在庫管理データを記憶する。ここで、在庫管理ファイル１０６ｃは、商品の在庫原価単価および在庫数量を含む在庫管理データを記憶していてもよい。また、在庫管理データは、倉庫コード、倉庫名、商品コード、商品名、在庫単価（在庫原価単価）、在庫数量、および／または、在庫金額（在庫総額）等を含んでいてもよい。
【００３５】
版下管理ファイル１０６ｄは、商品の初版製作時に増版が予定され、且つ、版下原価を原価に含む製作前商品の版下管理データを記憶する。ここで、版下管理ファイル１０６ｄは、商品の初版製作時に増版が予定され、且つ、版下原価を原価に含む製作前商品の在庫予定数量を含む版下管理データを記憶してもよい。また、版下管理データは、倉庫コード、倉庫名、商品コード、商品名、在庫単価（版下原価単価）、在庫予定数量、および／または、在庫金額（在庫総額）等を含んでいてもよい。また、版下管理データは、製作前商品の識別子として商品の商品コードを含んでいてもよい。すなわち、商品と製作前商品との商品コードは、同一であってもよい。
【００３６】
入出力インターフェース部１０８には、入力装置１１２および出力装置１１４が接続されている。出力装置１１４には、モニタ（タッチパネルを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４またはプリンタ１１４とし、入力装置１１２をキーボード１１２またはマウス１１２として記載する場合がある。
【００３７】
制御部１０２は、版下原価管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、数量取得部１０２ａと、版下原価取得部１０２ｂと、製作原価取得部１０２ｃと、在庫更新部１０２ｄと、在庫投入仕訳部１０２ｅと、仕掛仕訳部１０２ｆと、売上仕訳部１０２ｇとを備えている。
【００３８】
数量取得部１０２ａは、商品の初版数量、および、製作前商品の増版数量を取得する。ここで、数量取得部１０２ａは、増版数量を在庫予定数量として版下管理ファイル１０６ｄに登録（格納）してもよい。
【００３９】
版下原価取得部１０２ｂは、商品の版下原価単価を取得する。ここで、版下原価取得部１０２ｂは、商品の版下費用額、ならびに、初版数量および増版数量に基づいて、商品の版下原価単価を取得してもよい。また、版下原価取得部１０２ｂは、版下原価単価を（製作前商品の在庫単価として）版下管理ファイル１０６ｄに登録（格納）してもよい。
【００４０】
製作原価取得部１０２ｃは、製作原価単価を取得する。ここで、製作原価取得部１０２ｃは、商品が製作された場合、当該商品の製作数量および製作費用額を取得し、製作数量、製作費用額、版下原価単価、および／または、在庫管理ファイル１０６ｃに記憶された在庫管理データに基づいて、製作原価単価を取得してもよい。また、製作原価取得部１０２ｃは、商品が製作された場合、当該商品の製作数量および製作費用額を取得し、製作数量、製作費用額、版下原価単価、および／または、在庫管理ファイル１０６ｃに記憶された在庫管理データに基づいて、月次総平均、最終仕入単価または標準原価単価である製作原価単価を取得してもよい。また、製作原価取得部１０２ｃは、商品が製作された場合、当該商品の製作数量および製作費用額を取得し、在庫管理ファイル１０６ｃに記憶された在庫原価単価と在庫管理ファイル１０６ｃに記憶された在庫数量との積に、製作数量と版下原価単価との積および製作費用額の和を加えた値を被除数として、在庫管理ファイル１０６ｃに記憶された在庫数量と製作数量との和を除数とする場合の商を月次総平均である製作原価単価として取得してもよい。また、製作原価取得部１０２ｃは、商品が製作され、且つ、在庫予定数量が０の場合、当該商品の製作数量および製作費用額を取得し、在庫管理ファイル１０６ｃに記憶された在庫原価単価と在庫管理ファイル１０６ｃに記憶された在庫数量との積に、製作費用額を加えた値を被除数として、在庫管理ファイル１０６ｃに記憶された在庫数量と製作数量との和を除数とする場合の商を月次総平均である製作原価単価として取得してもよい。また、製作原価取得部１０２ｃは、製作原価単価を（商品の在庫単価として）在庫管理ファイル１０６ｃに登録（格納）してもよい。
【００４１】
在庫更新部１０２ｄは、商品の製作原価単価および製作数量に基づいて、在庫管理ファイル１０６ｃに記憶された在庫管理データ、および、版下管理ファイル１０６ｄに記憶された版下管理データを更新する。ここで、在庫更新部１０２ｄは、商品の製作原価単価を更新後の在庫原価単価として、且つ、製作数量と在庫管理ファイル１０６ｃに記憶された在庫数量との和を更新後の在庫数量として、在庫管理ファイル１０６ｃに記憶された在庫管理データを更新し、版下管理ファイル１０６ｄに記憶された在庫予定数量から製作数量を差し引いた値を更新後の在庫予定数量として、版下管理ファイル１０６ｄに記憶された版下管理データを更新してもよい。
【００４２】
在庫投入仕訳部１０２ｅは、初版の商品の在庫投入に係る在庫投入仕訳データを作成する。ここで、在庫投入仕訳部１０２ｅは、初版の商品が製作された場合、版下原価単価、ならびに、初版の商品の製作原価単価および製作数量に基づいて、初版の商品の在庫投入に係る在庫投入仕訳データを作成してもよい。また、在庫投入仕訳部１０２ｅは、増版の商品が製作された場合、版下原価単価、ならびに、増版の商品の製作原価単価および製作数量に基づいて、増版の商品の在庫投入に係る在庫投入仕訳データを作成してもよい。また、在庫投入仕訳部１０２ｅは、在庫投入仕訳データを在庫管理ファイル１０６ｃに格納してもよい。
【００４３】
仕掛仕訳部１０２ｆは、製作前商品への版下原価設定に係る仕掛仕訳データを作成する。ここで、仕掛仕訳部１０２ｆは、初版の商品が製作された場合、版下原価単価、および、製作前商品の在庫予定数量に基づいて、製作前商品への版下原価設定に係る仕掛仕訳データを作成してもよい。また、仕掛仕訳部１０２ｆは、仕掛仕訳データを版下管理ファイル１０６ｄに格納してもよい。
【００４４】
売上仕訳部１０２ｇは、商品の売上が計上された場合、当該商品の売上原価に係る売上仕訳データを作成する。ここで、売上仕訳部１０２ｇは、売上仕訳データを在庫管理ファイル１０６ｃに格納してもよい。
【００４５】
［３．具体例］
本実施形態の具体例について、図３から図１１を参照して説明する。
【００４６】
［版下原価管理処理］
ここで、図３から図１１を参照して、本実施形態における版下原価管理処理の一例について説明する。図３は、本実施形態における版下原価管理装置１００の処理の一例を示すフローチャートである。
【００４７】
図３に示すように、数量取得部１０２ａは、ユーザにより入力装置１１２を介して入力された、商品の初版数量、および、商品の増版が予定され且つ版下原価を原価に含む製作前商品の増版数量を取得し、増版数量を在庫予定数量として版下管理ファイル１０６ｄに登録する（ステップＳＡ−１）。
【００４８】
そして、版下原価取得部１０２ｂは、ユーザにより入力装置１１２を介して入力された商品の版下費用額、ならびに、数量取得部１０２ａにより取得された初版数量および増版数量に基づいて、商品の版下原価単価を取得し、版下原価単価を製作前商品の在庫単価として版下管理ファイル１０６ｄに登録する（ステップＳＡ−２）。
【００４９】
そして、製作原価取得部１０２ｃは、商品が製作された場合、ユーザにより入力装置１１２を介して入力された、当該商品の製作数量および製作費用額を取得する（ステップＳＡ−３）。
【００５０】
そして、製作原価取得部１０２ｃは、在庫管理ファイル１０６ｃに記憶された在庫管理データに基づいて、商品の在庫数量が残っているか否かを判定する（ステップＳＡ−４）。
【００５１】
そして、製作原価取得部１０２ｃは、商品の在庫数量が残っていないと判定した場合（ステップＳＡ−４：Ｎｏ）、処理をステップＳＡ−５に移行させる。
【００５２】
そして、製作原価取得部１０２ｃは、製作数量と版下原価単価との積および製作費用額の和を被除数として、製作数量を除数とする場合の商を月次総平均である製作原価単価として取得し（ステップＳＡ−５）、処理をステップＳＡ−７に移行させる。
【００５３】
一方、製作原価取得部１０２ｃは、商品の在庫数量が残っていると判定した場合（ステップＳＡ−４：Ｙｅｓ）、処理をステップＳＡ−６に移行させる。
【００５４】
そして、製作原価取得部１０２ｃは、在庫管理ファイル１０６ｃに記憶された在庫原価単価と在庫管理ファイル１０６ｃに記憶された在庫数量との積に、製作数量と版下原価単価との積および製作費用額の和を加えた値を被除数として、在庫管理ファイル１０６ｃに記憶された在庫数量と製作数量との和を除数とする場合の商を月次総平均である製作原価単価として取得し（ステップＳＡ−６）。
【００５５】
そして、在庫更新部１０２ｄは、製作原価取得部１０２ｃにより取得された商品の製作原価単価を更新後の在庫原価単価として、且つ、製作数量と在庫管理ファイル１０６ｃに記憶された在庫数量との和を更新後の在庫数量として、在庫管理ファイル１０６ｃに記憶された在庫管理データを更新し、版下管理ファイル１０６ｄに記憶された在庫予定数量から製作数量を差し引いた値を更新後の在庫予定数量として、版下管理ファイル１０６ｄに記憶された版下管理データを更新する（ステップＳＡ−７）。
【００５６】
そして、在庫更新部１０２ｄは、版下管理ファイル１０６ｄに記憶された版下管理データに基づいて、製作前商品の在庫予定数量が残っているか否かを判定する（ステップＳＡ−８）。
【００５７】
そして、在庫更新部１０２ｄは、製作前商品の在庫予定数量が残っていると判定した場合（ステップＳＡ−８：Ｙｅｓ）、処理をステップＳＡ−３に移行させる。
【００５８】
一方、在庫更新部１０２ｄは、製作前商品の在庫予定数量が残っていなと判定した場合（ステップＳＡ−８：Ｎｏ）、処理を終了する。
【００５９】
ここで、図４を参照して、本実施形態における版下原価管理の一例について説明する。図４は、本実施形態における版下原価管理の一例を示すモデル図である。
【００６０】
図４に示すように、本実施形態においては、書籍の初版製作時に第３版までの増版が予定され、且つ、執筆料等の版下費用（版下原価）を初版から第３版までの原価に含む版下管理を設定した場合、（１）初版印刷時の書籍の実倉庫（在庫管理倉庫）への在庫投入による実在庫（初版）の在庫管理、および、（２）第２版および第３版の想定冊数までの版下原価の製作前商品の仮想倉庫（版下管理倉庫）への在庫投入による想定在庫（第２版および第３版）の版下管理を開始する。そして、図４に示すように、（３）第２版または第３版の印刷による在庫管理倉庫への在庫投入による実在庫の在庫管理、および、版下管理倉庫からのマイナス在庫入力による想定在庫の版下管理を実行する。そして、図４に示すように、（４）版下原価を原価に含む第３版までが全て印刷されてなくなった場合、版下管理を終了し、増刷想定冊数以降の増版（第４版）の在庫投入による実在庫の在庫管理を実行する。
【００６１】
また、図５から図１１を参照して、本実施形態における版下原価管理処理の具体例について説明する。図５から図１１は、本実施形態における版下原価管理処理の一例を示すフロー図である。
【００６２】
図５に示すように、本実施形態においては、新規書籍製作決定時に、ユーザによりマスタメンテ画面にて設定入力がされた場合、商品を商品マスタ１０６ａに登録し（ステップＳＢ−１）、実際の在庫管理倉庫および版下原価用の仮想の版下管理倉庫の倉庫コード、倉庫名、および／または、保管された商品の単価算出区分を倉庫マスタ１０６ｂに登録する（ステップＳＢ−２）。
【００６３】
そして、図６に示すように、本実施形態においては、書籍の初版製作時に、初版が在庫管理倉庫に在庫投入され、ユーザにより初版書籍の移動入力がされた場合、印刷に掛かった費用で初版原価（在庫原価）を在庫管理ファイル１０６ｃに登録し、初版の在庫投入に係る在庫投入仕訳データを作成する（ステップＳＢ−３）。そして、図６に示すように、本実施形態においては、３月２日の翌日にユーザにより在庫照会画面が参照された場合、前日の移動結果が反映されて、在庫投入された書籍の在庫数量および在庫金額を含む在庫管理データを提示する（ステップＳＢ−４）。
【００６４】
そして、図７に示すように、本実施形態においては、書籍の初版製作時と同時（第２版の版下原価管理時）に、ユーザにより製作前商品の移動入力がされた場合、製作前商品を版下管理倉庫に（仮想的に）投入し、第２版以降の執筆料等の版下原価を版下管理ファイル１０６ｄに登録し、製作前商品への版下原価設定に係る仕掛仕訳データを作成する（ステップＳＢ−５）。
【００６５】
そして、図８に示すように、本実施形態においては、初版の書籍が売れた際に、ユーザにより売上入力がされた場合、売上計上と伴に、在庫原価の計上を行い、初版の売上原価に係る売上仕訳データを作成する（ステップＳＢ−６）。
【００６６】
そして、図９に示すように、本実施形態においては、３月５日の翌日以降にユーザにより在庫照会画面が参照された場合、前々日の売上結果が反映された在庫数量および在庫金額を含む在庫管理データ、ならびに、製作前商品の版下管理データを提示する（ステップＳＢ−７）。このように、本実施形態においては、製作済み原価と版下原価とを区別して管理できる。
【００６７】
そして、図１０に示すように、本実施形態においては、第２版の製作が決まり、第２版製作時に、増版分が在庫投入され、ユーザにより第２版書籍の移動入力がされた場合、版下管理データに含まれる版下原価を取り崩しつつ、増版の在庫投入に係る在庫投入仕訳データを作成する（ステップＳＢ−８）。すなわち、本実施形態においては、版下管理データに含まれる版下原価を第２版製作時に取り消すことで版下管理データを更新し、版下原価に増版時の印刷費等を加えた第２版の製作原価を計上することで在庫管理データを更新している。このように、本実施形態においては、第２版の印刷時に第２版の想定冊数から実際冊数を変更することができる（なお、版下管理倉庫の数量で繰り越される）。ここで、図９に示すように、本実施形態においては、在庫金額と版下原価とを加味した、月次総平均である在庫原価単価を算出することができる。
【００６８】
そして、図１０に示すように、本実施形態においては、５月１日の翌日にユーザにより在庫照会画面が参照された場合、前日の移動結果が反映された在庫数量および在庫金額を含む在庫管理データ、ならびに、製作前商品の版下管理データを提示する（ステップＳＢ−９）。
【００６９】
そして、図１１に示すように、本実施形態においては、在庫が初版・第２版からなる書籍が売れた際に、ユーザにより売上入力がされた場合、売上計上と伴に、在庫原価の計上を行い、初版・第２版からなる在庫の売上原価に係る売上仕訳データを作成する（ステップＳＢ−１０）。このように、本実施形態においては、出荷・売上作業としては版を意識せずに、同一商品コードにて処理できる。また、本実施形態においては、版下原価を加味した在庫原価で売上原価の仕訳計上ができる。
【００７０】
［４．他の実施形態］
本発明は、上述した実施形態以外にも、特許請求の範囲に記載した技術的思想の範囲内において種々の異なる実施形態にて実施されてよいものである。
【００７１】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００７２】
また、本明細書中や図面中で示した処理手順、制御手順、具体的名称、各処理の登録データや検索条件等のパラメータを含む情報、画面例、データベース構成については、特記する場合を除いて任意に変更することができる。
【００７３】
また、版下原価管理装置１００に関して、図示の各構成要素は機能概念的なものであり、必ずしも物理的に図示の如く構成されていることを要しない。
【００７４】
例えば、版下原価管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて版下原価管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７５】
また、このコンピュータプログラムは、版下原価管理装置１００に対して任意のネットワークを介して接続されたアプリケーションプログラムサーバに記憶されていてもよく、必要に応じてその全部または一部をダウンロードすることも可能である。
【００７６】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００７７】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【００７８】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７９】
また、版下原価管理装置１００は、既知のパーソナルコンピュータまたはワークステーション等の情報処理装置として構成してもよく、また、任意の周辺装置が接続された当該情報処理装置として構成してもよい。また、版下原価管理装置１００は、当該装置に本実施形態で説明した処理を実現させるソフトウェア（プログラムまたはデータ等を含む）を実装することにより実現してもよい。
【００８０】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００８１】
本発明は、図書製作販売業、ＣＤ・ＤＶＤ作製販売業またはグッズ作製販売業等の業界において有用である。
【符号の説明】
【００８２】
１００  版下原価管理装置
１０２  制御部
１０２ａ  数量取得部
１０２ｂ  版下原価取得部
１０２ｃ  製作原価取得部
１０２ｄ  在庫更新部
１０２ｅ  在庫投入仕訳部
１０２ｆ  仕掛仕訳部
１０２ｇ  売上仕訳部
１０４  通信インターフェース部
１０６  記憶部
１０６ａ  商品マスタ
１０６ｂ  倉庫マスタ
１０６ｃ  在庫管理ファイル
１０６ｄ  版下管理ファイル
１０８  入出力インターフェース部
１１２  入力装置
１１４  出力装置
２００  サーバ
３００  ネットワーク
【図１】
2020027396.tif 000003
【図２】
2020027396.tif 000004
【図３】
2020027396.tif 000005
【図４】
2020027396.tif 000006
【図５】
2020027396.tif 000007
【図６】
2020027396.tif 000008
【図７】
2020027396.tif 000009
【図８】
2020027396.tif 000010
【図９】
2020027396.tif 000011
【図１０】
2020027396.tif 000012
【図１１】
2020027396.tif 000013